(57)【特許請求の範囲】
【請求項１】
ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、
前記パッド体の外縁下部近傍から延設され、前記パッド体と前記センサ支持体とを結合する帯状弾性ブリッジ体（１４）を備え、
前記帯状弾性ブリッジ体の外周側端部を前記パッド体の外縁下部と連結すると共に、前記帯状弾性ブリッジ体の内周側端部を前記センサ支持体と連結し、
前記センサ支持体を前記ケース体に対して固着したことを特徴とする電子ドラム装置。
【請求項２】
ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、
前記パッド体の全周に亘る外縁下部近傍から延設され、前記パッド体と前記センサ支持体とを結合するドーナツ状弾性ブリッジ体（２１４）とを備え、
前記ドーナツ状弾性ブリッジ体の外周側端部を前記パッド体の外縁下部と連結すると共に、前記ドーナツ状弾性ブリッジ体の内周側端部を前記センサ支持体と連結し、
前記センサ支持体を前記ケース体に対して固着したことを特徴とする電子ドラム装置。
【請求項３】
ケース体と、被打撃面を有するパッド体と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、
前記パッド体と前記センサ支持体とをブロー成形された中空体を介して結合すると共に、
前記センサ支持体を前記ケース体に対して固着したことを特徴とする電子ドラム装置。
【請求項４】
前記中空体は、その中空部が前記パッド体の外縁部近傍まで形成されていることを特徴とする請求項３記載の電子ドラム装置。
【発明の詳細な説明】
【０００１】
【発明の属する技術の分野】
本発明は、パッド体の打撃による振動を検出し、その検出信号に基づいてドラム音を発生する電子ドラム装置に関する。
【０００２】
【従来の技術】
従来、パッド体の被打撃面の打撃で生じる振動を例えばパッド体下方に配設したピエゾ型のセンサ部で検出し、その出力信号をトリガとして電子音源を指示してドラム音を発生するようにした電子ドラム装置が知られている。この種の電子ドラム装置では、センシングの不均一、すなわち１パッド内で打撃位置によって出力が変動する「感度むら」が発生しやすいため、これを抑える工夫が必要とされる。
【０００３】
例えば、従来の電子ドラム装置（特開平９−２９７５７６号公報）では、パッド板の外周部近傍を複数の弾性保持体によってケースに結合してパッド体を保持すると共に、板状部材で構成したセンサ板の中央部にセンサ本体を載置し、該中央部から半径方向外側で３方向に延びるブリッジ体の先端部に、パッド板の外周部近傍をスタッドで結合している。この装置によれば、ブリッジ体がパッド板の外周部近傍をセンサ本体につなげていること、及び複数の経路（３本のブリッジ体）を通じてパッドの打撃振動がセンサ部に伝達されることから、感度むらが減少している。
【０００４】
【発明が解決しようとする課題】
しかしながら、上記従来の電子ドラム装置では、パッド板は、その外周部近傍で、弾性保持体によってケースに結合されるだけでなく、ブリッジ体にもスタッドで結合されるので、ブリッジ体やスタッドと複数の弾性保持体との干渉を避けなければならず、設計上不利であった。また、特開平９−２９７５７６号公報で例示されているような、ブリッジ体が３本で弾性保持体が４本のような場合は、ブリッジ体とこれに近接する弾性保持体との距離が遠いものや近いものが混在し、不均一であるため、スタッドを通じた打撃振動の伝達も打撃位置によって不均一となる傾向がある。すなわち、スタッドの数や配置によっては、新たな感度むらの原因となるおそれがあった。従って、感度むらを効果的に減少させるには不十分であるという問題があった。
【０００５】
本発明は上記従来技術の問題を解決するためになされたものであり、その目的は、打撃位置による感度むらを効果的に少なくすることができる電子ドラム装置を提供することにある。
【０００６】
【課題を解決するための手段】
上記目的を達成するために本発明の請求項１の電子ドラム装置は、ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、前記パッド体の外縁下部近傍から延設され、前記パッド体と前記センサ支持体とを結合する帯状弾性ブリッジ体（１４）を備え、前記帯状弾性ブリッジ体の外周側端部を前記パッド体の外縁下部と連結すると共に、前記帯状弾性ブリッジ体の内周側端部を前記センサ支持体と連結し、前記センサ支持体を前記ケース体に対して固着したことを特徴とする。
【０００７】
この構成によれば、パッド体の被打撃面の打撃による振動は、帯状弾性ブリッジ体及びセンサ支持体を通じてセンサ部に伝達され、打撃検出がなされる。前記帯状弾性ブリッジ体は、パッド体の外縁下部近傍から延設され、その外周側端部がパッド体の外縁下部と連結されると共に、内周側端部がセンサ支持体と連結されているので、周縁から回り込むように広い経路で打撃振動が伝わり、打撃位置によって出力が変動する「感度むら」が効果的に防止され、打撃位置に拘わらず均一な出力が得られる。また、前記センサ支持体をケース体に対して固着したことで、前記パッド体が前記帯状弾性ブリッジ体及び前記センサ支持体を介して前記ケース体に支持されるので、前記パッド体を保持部材等でケース体に直接固定する場合に比し、設計の自由度が増すことから、前記帯状弾性ブリッジ体の広い幅を確保できると共に、感度むらを増大させる要因を減少させることができる。よって、打撃位置による感度むらを効果的に少なくすることができる。
【０００８】
同じ目的を達成するために本発明の請求項２の電子ドラム装置は、ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、前記パッド体の全周に亘る外縁下部近傍から延設され、前記パッド体と前記センサ支持体とを結合するドーナツ状弾性ブリッジ体（２１４）とを備え、前記ドーナツ状弾性ブリッジ体の外周側端部を前記パッド体の外縁下部と連結すると共に、前記ドーナツ状弾性ブリッジ体の内周側端部を前記センサ支持体と連結し、前記センサ支持体を前記ケース体に対して固着したことを特徴とする。
【０００９】
この構成によれば、パッド体の被打撃面の打撃による振動は、ドーナツ状弾性ブリッジ体及びセンサ支持体を通じてセンサ部に伝達され、打撃検出がなされる。ドーナツ状弾性ブリッジ体は、パッド体の全周に亘る外縁下部近傍から延設され、その外周側端部がパッド体の外縁下部と連結されると共に、内周側端部がセンサ支持体と連結されているので、周縁から回り込むように広い経路で打撃振動が伝わり、打撃位置によって出力が変動する「感度むら」が一層効果的に防止され、打撃位置に拘わらず均一な出力が得られる。また、前記センサ支持体をケース体に対して固着したことで、前記パッド体が前記ドーナツ状弾性ブリッジ体及び前記センサ支持体を介して前記ケース体に支持されるので、前記パッド体を保持部材等でケース体に直接固定する場合に比し、設計の自由度が増すことから、前記ドーナツ状弾性ブリッジ体のような構成を容易に採用できると共に、感度むらを増大させる要因を減少させることができる。よって、打撃位置による感度むらを効果的に少なくすることができる。
【００１０】
同じ目的を達成するために本発明の請求項３の電子ドラム装置は、ケース体と、被打撃面を有するパッド体と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、前記パッド体と前記センサ支持体とをブロー成形された中空体を介して結合すると共に、前記センサ支持体を前記ケース体に対して固着したことを特徴とする。
【００１１】
この構成によれば、パッド体の被打撃面の打撃による振動は、ブロー成形された中空体及びセンサ支持体を通じてセンサ部に伝達され、打撃検出がなされる。前記中空体は、ブロー成形で中空に形成されているので、弾性に富み、しかも中空体の外周から回り込むように広い経路で打撃振動が伝わり、打撃位置によって出力が変動する「感度むら」が効果的に防止され、打撃位置に拘わらず均一な出力が得られる。加えて、ブロー成形によって、通常２部品以上で構成される中空部を１部品で構成できるので、構成の簡単化、及び部品点数削減によるコストダウンを図ることができる。さらに構成を簡単にし、コストを削減することができる。また、前記センサ支持体をケース体に対して固着したことで、前記パッド体が前記中空体及び前記センサ支持体を介して前記ケース体に支持されるので、前記パッド体を保持部材等でケース体に直接固定する場合に比し、設計の自由度が増すことから、感度むらを増大させる要因を減少させることができる。よって、打撃位置による感度むらを効果的に少なくすることができ、さらに構成を簡単にし、コストを削減することができる。
【００１２】
同じ目的を達成するために本発明の請求項４の電子ドラム装置は、上記請求項３記載の構成において、前記中空体は、その中空部が前記パッド体の外縁部近傍まで形成されていることを特徴とする。
【００１３】
この構成によれば、中空体の中空部がパッド体の外縁部近傍まで形成されているので、前記パッド体の周縁から中空体を通じて回り込むように広い経路でセンサ支持体に打撃振動が伝わる。よって、打撃位置による感度むらを一層効果的に少なくすることができる。
【００１４】
【発明の実施の形態】
以下、本発明の実施の形態を図面を参照して説明する。
【００１５】
（第１の実施の形態）
図１は、本発明の第１の実施の形態に係る電子ドラム装置の外観図である。
【００１６】
本装置は、上ケース６（ケース体）上に複数（４個）のパッド体１０を備える。パッド体１０の外周には環状の発光ユニット２０が配設される。発光ユニット２０は光源部３０を含んでいる。後述するように、本装置では、例えばパッド体１０を打撃することで、各パッド毎に割り当てた音色（スネアドラム、バスドラム、シンバル等）が電子的に発音されると共に、光源部３０を除く発光ユニット２０の部分が光ってみえるようになっている。複数のパッド体１０及び発光ユニット２０の大きさは異なるものもあるが基本的構成はいずれも同様である。
【００１７】
本装置にはさらに、液晶または７セグメントＬＥＤ等で構成され各種情報を表示する表示部１、電源の入り切りを行うためのスライド型の電源スイッチ部２、パラメータ設定で用いる回転型のパラメータ設定用ロータリーエンコーダ３、音量やテンポ等の各種パラメータを設定するための機能スイッチ部４、及びドラム音等を発音するスピーカ部５が設けられている。
【００１８】
図２は、本実施の形態におけるパッド体１０の平面図、図３は発光ユニット２０を斜め上方からみた外観斜視図、図４は図１のＡ−Ａ線に沿う部分断面図、図５は図１のＢ−Ｂ線に沿う部分断面図である。なお、図２において表示したＡ−Ａ線、Ｂ−Ｂ線は、図１のものに対応している。
【００１９】
図４、図５に示すように、パッド体１０は、パッド表皮体１１及びパッド板１２で構成される。パッド板１２は鉄、アルミニウム等の金属または硬質樹脂等で円盤状に形成される。パッド表皮体１１はゴム等の弾性体で構成され、その上面である打撃面１１ａ（被打撃面）が叩打される。パッド表皮体１１の下面４箇所には、先端が鉤状の突起部１５が突設され、パッド板１２の対応する位置に設けた穴に突起部１５を挿通嵌合することでパッド表皮体１１がパッド板１２に固着される。なお、パッド表皮体１１はパッド板１２に接着等で固着するようにしてもよい。
【００２０】
パッド体１０の下方には、有膜弾性体４２及びセンサ支持体４０が配設されている（図４、図５）。有膜弾性体４２は、弾性を有し振動を伝達しにくい合成樹脂（例えばポリプロピレン）等で構成される。有膜弾性体４２は円盤状に形成され、その半径方向略中央部は肉厚部４２ｂとなっている。肉厚部４２ｂから半径方向外側部分は薄膜部４２ａとなっている。薄膜部４２ａの厚みは例えば０．３ｍｍ程度である。薄膜部４２ａの作用については後述する。
【００２１】
センサ支持体４０は有膜弾性体４２の下面に接着されている。センサ支持体４０は剛性を有する板状部材で円盤状に形成され、その外縁部が有膜弾性体４２の肉厚部４２ｂの外周部近傍まで延びている。
【００２２】
なお、有膜弾性体４２の肉厚部４２ｂは、厚肉にすることなく、薄膜部４２ａと同じ厚さの薄肉部としてもよい。これは、センサ支持体４０と後述するブリッジ体１４の下端部１４ｂとで挟持されネジ止めされることから、強度面、保守面からも問題がないからである。
【００２３】
センサ支持体４０は有膜弾性体４２と共にブリッジ体１４（帯状弾性ブリッジ体）によってパッド体１０と結合されている（図４、図５）。ブリッジ体１４は、弾性を有する材料で円周方向に幅広の帯状に形成され、例えば３箇所に等間隔に設けられる（図２）。
【００２４】
ブリッジ体１４は、その上端部１４ａがパッド体１０に連結されて構成される。パッド板１２が金属で構成される場合はパッド板１２本体からの切り起こしにより形成され、樹脂で構成される場合はスライドコアタイプの金型によって板本体と一体に成形される。
【００２５】
ブリッジ体１４は、その内周側の下端部１４ｂとセンサ支持体４０とで有膜弾性体４２の肉厚部４２ｂをサンドイッチする形で取り付けられる。下端部１４ｂは、各ブリッジ体１４につき２個のネジ１３によってセンサ支持体４０及び有膜弾性体４２に固着されている。ブリッジ体１４は、パッド体１０の打撃による振動をセンサ支持体４０に伝達する。ブリッジ体１４は、上記のようにパッド体１０の外縁下部近傍から延設され円周方向に幅広に形成されているので、パッド体１０の周縁から回り込むように広い経路で打撃振動が伝わり、打撃位置によって出力が変動する「感度むら」が効果的に防止される。
【００２６】
センサ支持体４０の略中央下部にはセンサ部４１が設けられている。センサ部４１は、ピエゾ型圧電センサ等で構成され、ブリッジ体１４及びセンサ支持体４０を通じて伝わる打撃振動を検出する。
【００２７】
図３に示すように、発光ユニット２０は、導光体２１、反射用カバー２３及び光源部３０で構成される。導光体２１及び反射用カバー２３は、光源部３０が配設されるスペースだけ外周の一部を切り欠いた略円環状に形成される。反射用カバー２３は断面凹状で凹部（開口部）が上方を向き、導光体２１は断面凸状で凸部が下方を向いている。反射用カバー２３の凹部に導光体２１の凸部が嵌合され、合わせ面ＳＦ１、ＳＦ２で接着されている（図４）。
【００２８】
なお、反射用カバー２３の底面を、上ケース６の導光体２１及び反射用カバー２３に対応する環状溝ＲＭの底面ＲＭ１にまで延長するように構成してもよい。そのようにすれば、合わせ面ＳＦ１、ＳＦ２で接着せずとも圧着嵌合するだけでよく、組み付け、保守点検、交換が容易となる。
【００２９】
導光体２１は光を透過するポリカーボネート、アクリル等の透明体樹脂で構成される。後述するように、導光体２１の一端部は光が入射される始端面２１ａ、他端部は光が到達する終端面２１ｂとなっており、始端面２１ａと終端面２１ｂとの間に光源部３０が嵌合される。
【００３０】
図６は、光源部３０に上ケース６の一部を併せて示した図である。同図（ａ）は、光源部３０を反転させて斜め上方からみた分解斜視図であり、同図（ｂ）は上ケース６の光源部３０が取り付けられる部分を切り出して斜め上方からみた部分斜視図である。
【００３１】
光源部３０はＬＥＤ３１及びＬＥＤカバー３２等から構成される（同図（ａ））。ＬＥＤカバー３２には、Ｕ字状の溝Ｍ１が形成されている。この溝Ｍ１内に発光体であるＬＥＤ３１が遊挿される。ＬＥＤカバー３２の内側面（発光ユニット２０の内周方向を向く面）３２ｃにはフック部３３が設けられる。このフック部３３は、上ケース６から上方に突設された外周側環状リブ６ｂの外周面側への取り付けのために設けられる。フック部３３の先端には爪３３ａが形成されている。
【００３２】
一方、上ケース６はポリスチレン等で構成され、下ケースのボス７に支持される。上ケース６には、発光ユニット２０の内周側で環状リブ６ｂよりも内周側において内周側環状リブ６ａが形成されている。なお環状リブ６ｂによって、ケース側環状溝ＲＭが全周に亘って形成される（図４、図５、図６（ｂ））。上ケース６の光源部３０が取り付けられる外側の環状リブ６ｂの外側面には、係止用溝Ｍ２が形成されている（図６（ｂ））。
【００３３】
発光ユニット２０は上ケース６のケース側環状溝ＲＭ内に配置される。光源部３０を図６（ａ）の状態から反転し、ＬＥＤカバー３２を上ケース６のケース側環状溝ＲＭに挿入しつつ、フック部３３の爪３３ａを上ケース６の係止用溝Ｍ２に係止することで、ＬＥＤカバー３２の外側面３２ｄがフック部３３の弾性により溝ＲＭの外側壁ＲＭ０（図６（ｂ））側に押しつけられ、光源部３０が上ケース６に固定される。光源部３０が取り付けられた状態では、ＬＥＤカバー３２の始端側面３２ａ、終端側面３２ｂが導光体２１の始端面２１ａ、終端面２１ｂとそれぞれ当接状態となる。そのとき、ＬＥＤ３１は導光体２１の始端面２１ａと対向する。また、ＬＥＤカバー３２は、光を反射しやすい白色系の合成樹脂等で構成される。従って、ＬＥＤ３１が発光すると、光は始端面２１ａから導光体２１に効率良く入射される。
【００３４】
反射用カバー２３もＬＥＤカバー３２と同様に、白色系の合成樹脂等で構成される。また、導光体２１の外周面２１ｄ及び内周面２１ｅは高い面粗さに（鏡面のように）処理されている。従って、反射用カバー２３の凹部と導光体２１の凸部との当接面や、外周面２１ｄ、内周面２１ｅでは、光が反射しやすく、特に導光体２１の内部を透過する光が所定角度以下で高面粗度の面に向かうときはほぼ全反射する。これにより、ＬＥＤ３１からの入射光は、いわゆる光ファイバの光伝搬原理で導光体２１の軸方向に沿って効率良く導光される。
【００３５】
ＬＥＤカバー３２は、導光体２１の鏡面加工部を保護するためだけでなく、光伝搬効率をさらに上げるためにも用いられる。すなわち、コストダウン等のため鏡面加工率を抑えることによる光漏れを、ＬＥＤカバー３２の白色面で光を反射させ、導光体２１に再入力させて少なくするために用いられる。特に、導光体２１の始端面２１ａ近傍では、壁面（外周面２１ｄ、内周面２１ｅ）に対する光投入角が直角に近いため、導光体２１単独では鏡面であっても光が漏れやすい。しかし、ＬＥＤカバー３２の白色面によって、光再入力が可能になっている。
【００３６】
また、上述したように、ＬＥＤカバー３２の終端側面３２ｂは導光体２１の終端面２１ｂと当接しており、しかもＬＥＤカバー３２は白色系であるので、軸線に沿って終端面２１ｂまで到達した入射光は、ほぼ全反射して逆方向（始端面２１ａ側）に向かう。このことと、ＬＥＤカバー３２の作用によって、導光体２１の始端面２１ａから終端面２１ｂまでの全長に亘りかなり均一な明るさで放光面２１ｃを発光させることができる。
【００３７】
一方、導光体２１の上面は、視認性のため外周方向に向かってやや下方に傾斜しており、面粗度を少し粗く（すりガラスのように）した放光面２１ｃとして形成されている。放光面２１ｃを粗面処理したことで、導光体２１の内部から放光面２１ｃに向かう光は乱反射しやすくなり、放光面２１ｃへの入射角が小さい光でも一部が全反射することなく外部に漏れる。漏れる分だけ始端面２１ａ、終端面２１ｂから離れた位置ではわずかに輝度が落ちるが、奏者からみると、放光面２１ｃが光っているように見える。なお、粗面処理は、例えば、ビーズブラスト法によりなされる。
【００３８】
導光体２１には、発光ユニット２０を上ケース６に取り付けるためのステイ２２が３個設けられている。ステイ２２は、導光体２１の内周面２１ｅに一体に形成され、ブリッジ体１４と隣接するブリッジ体１４との間に位置するように等間隔で設けられる。ステイ２２は、ステイ２２の下面と環状リブ６ａの上面とで有膜弾性体４２の薄膜部４２ａをサンドイッチするようにして、ネジ２４で環状リブ６ａに固定される（図４）。これにより、発光ユニット２０が上ケース６に固定される。
【００３９】
また、ステイ２２の上面２２ａには、スポンジ、ウレタンゴム等からなる緩衝材２２ｂが貼り付けられている（図４）。組み付け後の非打撃時には、ステイ２２の上面２２ａとパッド体１０の下面１０ａとは僅かに離間し、この離間した部分に緩衝材２２ｂが介在する。緩衝材２２ｂの上面は、パッド体１０の下面１０ａとは僅かに離間させてもよい。一方、パッド体１０の打撃時には、ステイ２２及び緩衝材２２ｂがパッド体１０に対するストッパ的役割を果たすことで、パッド体１０の過剰な変位が抑制される。緩衝材２２ｂの作用によって、上面２２ａとパッド体１０との間で生じる衝撃音も抑制される。なお、パッド体１０の外周部も導光体２１とは僅かに離間している。
【００４０】
結局、最終組み付け後の非打撃時には、パッド体１０は発光ユニット２０とは実質的に離間状態となっている。従って、パッド体１０、センサ部４１、センサ支持体４０等が、有膜弾性体４２の薄膜部４２ａだけを介して上ケース６に結合され、上ケース６に対して浮設された形となっている。これにより、振動伝達に限っていえば、パッド体１０、センサ部４１、センサ支持体４０等が、上ケース６から独立してあたかも宙に浮いているかのように作用する。すなわち、上ケース６からの衝撃や振動（例えば、他パッドの打撃や上ケース６自体の打撃によるもの）は薄膜部４２ａでほぼ吸収、遮断され、センサ部４１への振動伝達が効果的に抑えられるので、構造的に飛び付きが防止される。
【００４１】
その一方、パッド体１０とセンサ支持体４０とはブリッジ体１４で連結されており、パッド体１０は打撃により自由に振動して、自パッドの打撃による振動は、ブリッジ体１４及びセンサ支持体４０を通じてセンサ部４１に伝達されるので、打撃検出には支障がない。また、打撃時にはステイ２２及び緩衝材２２ｂによってパッド体１０の過剰な変位が抑制される結果、破損や故障が防止されると共に、ドラム音源として不適ノイズの発生が排除される。なお、上ケース６とパッド体１０とが常に非当接的関係を維持することができるならば、緩衝材２２ｂを不要にすることができる。
【００４２】
本装置は次のようにして製造される。
【００４３】
まず、センサ支持体４０にセンサ部４１を貼着する。次に、薄膜部４２ａの外周部を上ケース６の環状リブ６ａ上に載置する。一方、導光体２１と反射用カバー２３とを嵌着する。そして、薄膜部４２ａを挟んでステイ２２を環状リブ６ａにネジ２４で固定する。その後、裏返したパッド体１０に、装置本体を裏返してかぶせ、センサ支持体４０を有膜弾性体４２に位置合わせしながら載置し、ネジ１３でブリッジ体１４の下端部１４ｂに固着する。次いで、装置本体を表側にし、光源部３０を上ケース６に取り付ける。光源部３０は導光体２１の始端面２１ａ及び終端面２１ｂ間にちょうど嵌合される。
【００４４】
楽音制御及び発光ユニット２０の発光制御は次のようにしてなされる。
【００４５】
図７は、本装置の制御系の主要部の構成を示すブロック図である。４個のパッド体１０における各センサ部４１からの打撃検出信号は、ＣＰＵ８に入力され、成形され、音源指示信号として音源部９に出力され、これをトリガとして、ドラム音が発生する。その際、打撃されたパッド体１０の周りの発光ユニット２０も同時に発光する。
【００４６】
図８は、本実施の形態におけるメイン処理のフローチャートを示す図である。まず、初期化を行い（ステップＳ１０１）、音色等楽音パラメータの（変更）設定処理を行う（ステップＳ１０２）。次いで、パッド処理、すなわちパッド体１０の打撃検出信号に基づき、上記設定された楽音の発生とＬＥＤ３１の発光処理とを行って（ステップＳ１０３）、前記ステップＳ１０２に戻る。
【００４７】
なお、従来では通常、飛び付き防止や打撃検出感度の均一化のため、ソフトウェアによる補正処理等を前記ステップＳ１０３において行うようにしていた。しかし、本実施の形態では、構造的に飛び付きが抑制されると共に、ブリッジ体１４によって感度むらが低減されているので、ソフト的に対応する必要がない。
【００４８】
なお、発光ユニット２０の発光は打撃時に限ることなく、光鍵盤のように、練習用の打撃指示のために発光させてもよい。また、装飾として常時発光するようにしてもよいし、もぐらたたきのようなゲームができるように応用してもよい。
【００４９】
本実施の形態によれば、ブリッジ体１４は、パッド体１０の外縁下部近傍から延設され円周方向に幅広の帯状に形成されているので、周縁から回り込むようにより広い経路で打撃振動が伝わり、「感度むら」が効果的に防止され、打撃位置に拘わらず均一な出力が得られる。また、センサ支持体４０を上ケース６に対して固着したことで、パッド体１０がブリッジ体１４及びセンサ支持体４０を介して上ケース６に支持されるので、パッド体１０を保持部材等で上ケース６に直接固定する場合に比し、設計の自由度が増すことから、ブリッジ体１４の広い幅を確保できると共に、感度むらを増大させる要因を減少させることができる。よって、打撃位置による感度むらを効果的に少なくすることができる。
【００５０】
また、パッド体１０、センサ支持体４０及びセンサ部４１等が、振動伝達を抑制し得る薄膜部４２ａで上ケース６に浮設支持されるので、振動伝達に関して上ケース６からの独立性を確保することができる。従って、他パッドの打撃や上ケース６自身の打撃に起因する飛び付きが防止される。
【００５１】
また、発光ユニット２０では、光ファイバの光伝搬原理を利用して導光体２１の軸方向に沿ってＬＥＤ３１からの入射光が導かれると共に、放光面２１ｃから適当に放光されるようにしたので、最小限の発光体で発光ユニット２０の一部を除く全周を光らせることができ、簡単な構成、低コストで、ドラム装置に合った装飾的な発光を実現することが容易である。また、打撃指示表示、いわゆるナビゲート表示に適しており、もぐらたたき等のゲーム機能を実現することも容易である。さらに、故障が少なく耐久性もあるだけでなく、光源部３０の取り付け取り外しが容易であることから、メンテナンスやＬＥＤ３１の色の変更も容易であり、設計変更も行いやすい。
【００５２】
（第２の実施の形態）
本実施の形態では、パッド体とセンサ支持体との結合方式、及び発光ユニットの構成等が第１の実施の形態と異なる。装置の外観は第１の実施の形態と同様である。
【００５３】
図９は、本実施の形態に係る電子ドラム装置の構成を示す部分断面図であり、第１の実施の形態における図１のＡ−Ａ線に沿う部分断面図に対応する。
【００５４】
発光ユニット１２０は、導光体１２１、反射用カバー１２３及び光源部３０で構成される。導光体１２１は、第１の実施の形態における導光体２１に対してステイ２２がない点で相違する。反射用カバー１２３は、第１の実施の形態における反射用カバー２３に対して位置決め用突条部１２３ａを有する点で相違する。導光体１２１と反射用カバー１２３との嵌合態様、光源部３０の構成、及び発光ユニット１２０が略円環状である点は第１の実施の形態と同様である。
【００５５】
位置決め用突条部１２３ａは、反射用カバー１２３の外周部下部に全周に亘って形成され、これと嵌合的な溝部が上ケース２０６に形成されている。発光ユニット１２０は、外周面及び位置決め用突条部１２３ａで上ケース２０６に接着嵌合されて固定される。装着時には、位置決め用突条部１２３ａによって、仮止めの機能を果たすと共に、上ケース２０６に対して位置決めがされ、しかも上ケース２０６との固着強度が向上している。
【００５６】
第１の実施の形態では、導光体２１のステイ２２と上ケース６の環状リブ６ａとで有膜弾性体４２の薄膜部４２ａをサンドイッチするようにしたが、本第２の実施の形態では、上ケース２０６と下ケース５０とでサンドイッチする。下ケース５０は、ポリスチレン等で構成され、センサ部４１の下方における底部に、センサ部４１のリード線４３を通すための穴５１が設けられている。
【００５７】
パッド兼中空体１００は、パッド表皮体１１及び中空体６０で構成される。パッド表皮体１１はゴム等の弾性体で構成され、その上面である打撃面１１ａが叩打される。中空体６０は弾性を有する材料（例えば、ポリプロピレン）で、ブロー成形により形成され、上板部６０ａと底板部６０ｂとの間に中空部６１が形成される。パッド表皮体１１は、中空体６０の上板部６０ａに接着剤で固着される。中空体６０の底板部６０ｂには、複数箇所（例えば等間隔に４箇所）に、下方に凸状の位置決め用突起部６２が形成されている。
【００５８】
一方、パッド兼中空体１００の下方には、有膜弾性体１４２及びセンサ支持体１４０が配設されている。有膜弾性体１４２は、第１の実施の形態における有膜弾性体４２と同じ材料で構成される。有膜弾性体１４２は円盤状に形成され、位置決め用突起部６２に対応する位置には位置決め用突起部６２の貫通用に穴１４２ｂが形成されている。薄膜部１４２ａの厚みも薄膜部４２ａと同様である。
【００５９】
センサ支持体１４０は、剛性を有する板状部材で円盤状に形成され、中空体６０の底板部６０ｂの平坦な部分と略同じ外径を有する。センサ支持体１４０の位置決め用突起部６２に対応する位置には、位置決め用突起部６２に嵌合的な凹部１４０ａが形成されている。センサ部４１の配置及び構成は第１の実施の形態と同様である。
【００６０】
パッド兼中空体１００、有膜弾性体１４２及びセンサ支持体１４０を組み付ける際は、これらを裏返して、上からパッド兼中空体１００、有膜弾性体１４２、センサ支持体１４０の順に積層する（裏返し状態ではこの逆順）。その際、中空体６０の位置決め用突起部６２が有膜弾性体１４２の穴１４２ｂを貫通し、センサ支持体１４０の凹部１４０ａに嵌合するように位置合わせをしてから、ネジ１１３で共締めすることで、３者が固着される。
【００６１】
中空体６０は、外周部がパッド表皮体１１よりも外周側にやや張り出し、中空部６１はパッド表皮体１１の外縁部近傍まで形成される。また、中空体６０の外周部からセンサ支持体１４０の外縁部に向かって側板部６０ｃが縮径し、下すぼまりの形をしている。このような形状により、パッド兼中空体１００の打撃振動は、中空体６０の外縁部から回り込むように広い経路でセンサ支持体１４０に伝わり、しかも中空体６０はブロー成形で中空に形成され、弾性に富むことから、「感度むら」が効果的に防止される。
【００６２】
有膜弾性体１４２の薄膜部１４２ａは、その外周部が上ケース２０６の薄膜保持部２０６ａの下面と下ケース５０の薄膜保持部５０ａの上面とでサンドイッチされる。そして、ネジ１２４で薄膜部１４２ａが固着される。これにより、有膜弾性体１４２が上ケース２０６及び下ケース５０に固定される。
【００６３】
本実施の形態では、上ケース２０６の薄膜保持部２０６ａは打撃時においてもパッド兼中空体１００と当接することはなく、従って、パッド兼中空体１００のストッパ的機能を果たすものはない。これは、中空体６０が弾性材料でブロー成形されて中空部６１を有するため、弾性が大きく、打撃による衝撃を効率よく吸収するので、ストッパを不要にすることができるからである。
【００６４】
なお、楽音制御及び発光ユニット１２０の発光制御は第１の実施の形態と同様である。
【００６５】
本装置は次のようにして製造される。
【００６６】
まず、上述したような手順でパッド兼中空体１００、有膜弾性体１４２及びセンサ支持体１４０を組み付けたアッセンブリを作り、次に、上ケース２０６を裏返し、上ケース２０６の大穴２０６ｂにパッド兼中空体１００が嵌合するように、また薄膜部１４２ａの外周部が上ケース２０６の薄膜保持部２０６ａに載るように、上記アッセンブリを取り付け位置に裏返し状態で配置する。次に、下ケース５０の薄膜保持部５０ａが薄膜部１４２ａの外周部を薄膜保持部２０６ａとで挟むように下ケース５０を置き、ネジ１２４で共締めする。導光体１２１及び反射用カバー１２３は、上記アッセンブリの取り付け前または後のいずれかに、上ケース２０６に取り付ければよい。光源部３０の取り付けは第１の実施の形態と同様である。
【００６７】
本実施の形態によれば、中空体６０は、ブロー成形で中空に形成されているので、弾性に富み、しかも中空体６０の中空部がパッド表皮体１１の外縁部近傍まで形成されているので、パッド表皮体１１の周縁から中空体６０を通じて回り込むように広い経路でセンサ支持体１４０に打撃振動が伝わる。従って、「感度むら」が効果的に防止され、打撃位置に拘わらず均一な出力が得られる。加えて、ブロー成形によって、通常２部品以上で構成される中空部を１部品で構成できるので、構成が簡単となるだけでなく、部品点数削減によりコストダウンを図ることができる。また、センサ支持体１４０を上ケース２０６に対して固着したことで、パッド兼中空体１００がセンサ支持体１４０を介して上ケース２０６に支持されるので、パッド兼中空体１００を保持部材等でケース体に直接固定する場合に比し、設計の自由度が増すことから、感度むらを増大させる要因を減少させることができる。よって、打撃位置による感度むらを一層効果的に少なくすることができる。
【００６８】
また、パッド兼中空体１００、センサ支持体１４０及びセンサ部４１等のアッセンブリが、振動伝達を抑制し得る薄膜部１４２ａで上ケース２０６及び下ケース５０に浮設支持される。従って、振動伝達に関して上ケース２０６、下ケース５０からの独立性を確保することができる。よって、飛び付きの発生防止に関し、第１の実施の形態と同様の効果を奏することができる。
【００６９】
また、中空体６０を下すぼまりの形にしたことで、中空体６０の側板部６０ｃと上ケース２０６との間に空間Ｑが形成されるので（図９）、有膜弾性体１４２の薄膜部１４２ａがその機能（振動伝達抑制）を十分に発揮することができる。
【００７０】
さらに、発光ユニット１２０によって、装飾的な発光に関し、第１の実施の形態と同様の効果を奏することができる。
【００７１】
また、下ケース５０には小さな穴５１しか空いておらず気密性が高く、また形状的にも制約が少ないことから、下ケース５０をスピーカボックスとしての機能を兼用させることが容易にでき、構成を簡単にすることができるだけでなく、大穴をなくすことができるので、音質向上にも寄与する。
【００７２】
（第３の実施の形態）
本実施の形態では、第１の実施の形態に対し、ブリッジ体の構成が異なり、その他は第１の実施の形態と同様である。
【００７３】
図１０は、第３の実施の形態に係る電子ドラム装置の図１のＢ−Ｂ線に沿う部分断面図である。図１０は図５に対応するものである。
【００７４】
第１の実施の形態では、ブリッジ体１４は帯状に形成され３個設けられたが、本実施の形態では、ブリッジ体２１４（ドーナツ状弾性ブリッジ体）はドーナツ状に形成された一体ものとして形成される。
【００７５】
センサ支持体４０は有膜弾性体４２と共にブリッジ体２１４によってパッド体１０と結合されている。ブリッジ体２１４の外周側上端部がパッド板１２に固着され、内周側下端部が有膜弾性体４２の肉厚部４２ｂに固着される。導光体２１の上ケース６への取り付けは、第１の実施の形態と同様にステイ２２を介してなされるが、図示は省略する。その他の構成は、第１の実施の形態と同様である。
【００７６】
本実施の形態によれば、ブリッジ体２１４を、ブリッジ体１４に対してその幅を全周に亘って延設したドーナツ形状としたので、周縁から回り込むようにより広い経路で打撃振動が伝わり、「感度むら」が一層効果的に防止され、打撃位置に拘わらず一層均一な出力が得られる。
【００７７】
なお、第１の実施の形態では、光源部３０のＬＥＤ３１は１個という構成を採用したが、これに限るものではない。例えば、互いに背向する２個のＬＥＤを設けてもよい。図１１に光源部の他の構成例（光源部３０’）を示す。
【００７８】
図１１に示す光源部は、電子ドラムにおける打撃指示表示（ナビゲート機能表示）及び／又は打撃したことを視認して教習効果を上げるため、また発光機能効率を上げるための他の構成例であって、一言で言えばＬＥＤ等の光源の光を導光体２１の始端面２１ａ及び終端面２１ｂの双方に入射するようにした実施例を示すものである。図中、光源部３０と同一の要素は図６と同一の番号を付してその説明を略する。
【００７９】
図１１（ａ）に示すように、光源部３０’のＬＥＤカバー３２０には、一端面３２ａｕから他端面３２ｂｕにかけて、直線的に断面がほぼ一様なＵ字溝ＭＵが設けられている。溝ＭＵの中央にはドラム外側壁下端部（同図では上端部）においてバイポールＬＥＤである双頭発光ダイオードＢＬＤの挿着後の抜け止め突起Ｍ２が設けられており、その対向部壁面には上下方向に延びるＢＬＤガイド溝Ｍ３が設けられている。
【００８０】
カバー３２０へのＢＬＤ挿着において、ＢＬＤの一側面に設けた被ガイド突起ＢＬ１が溝Ｍ３にガイドされて溝ＭＵにＢＬＤが挿入され、完全に嵌合されたところで、ＢＬＤの下端面ＢＬＤ２が突起Ｍ２に係止される。この状態で天地逆にして光源部３０’を上述した光源部３０の場合と同様に発光ユニット２０に嵌着させる。
【００８１】
ところで上記ＢＬＤは、２つの発光ダイオードを図１１（ｂ）に示すように内部で結線し、外側を樹脂で固めてなるもので、外観は同図（ａ）または（ｃ）のように構成される。ＢＬＤの長手方向両端部は大砲の弾の先端部の形をなしており、これがレンズの役目を果たし、収光角度（立体角）２０度〜８０度となるように成形されている。
【００８２】
この双頭発光ダイオードＢＬＤは、市販されていない場合は特注となる。コストダウンするためには、同図（ｄ）に示すように、ＬＥＤカバーをＬＥＤカバー３２４のような構成としてもよい。同図（ｄ）は、カバー３２４を下方からみた裏面図である。例えば、カバー３２０に相当するものとこれに左右対称に構成されたものとを、カバー３２０の他端面３２ｂｕに相当する面同士を連結部として連結して構成される。この場合、フック部３３は１つでよいので、中央に１つ設けた構成としている。この構成において、左右２つのＬＥＤ３１、３１を同図のように溝Ｍ１に嵌着させると、双頭発光形の光源部ができあがる。
【００８３】
図１１の構成によれば、図６の構成に比し、より明るく、且つより均一な輝度を確保することができる。
【００８４】
なお、第１の実施の形態において、ステイ２２は同様の構成のものを均等間隔で３つ設けるようにしたが、数や形態はこれに限るものではない。例えば、３箇所のうちの１箇所にはステイ２２を２つ併設したり、他のステイ２２とは形状を異ならせたりしてもよい。これにより、導光体２１と上ケース６との円周方向の位置関係が一義的に決まるため、位置決めがやりやすくなり、組み付け作業が容易になる。また、ステイ２２が多数となることで、壊れにくくなる。
【００８５】
なお、第１、第２、第３の実施の形態において、放光面（２１ｃ等）に、メーカー名、「ＢＯＮＧＯ」、「ＫＯＮＧＡ」等の楽器名、「ナビゲート機能を」、「使って１，２，３，４」等の代表機能の説明等、各種文字を書く（彫り込む、浮きだたせる）ようにしてもよい。これにより、発光時に際立ち、視認効果を増大させることができる。
【００８６】
【発明の効果】
以上説明したように、本発明によれば、打撃位置による感度むらを効果的に少なくすることができる。
【図面の簡単な説明】
【図１】  本発明の第１の実施の形態に係る電子ドラム装置の外観図である。
【図２】  同形態におけるパッド体の平面図である。
【図３】  同形態における発光ユニットを斜め上方からみた外観斜視図である。
【図４】  図１のＡ−Ａ線に沿う部分断面図である。
【図５】  図１のＢ−Ｂ線に沿う部分断面図である。
【図６】  光源部に上ケースの一部を併せて示した図である。
【図７】  同装置の制御系の主要部の構成を示すブロック図である。
【図８】  同形態におけるメイン処理のフローチャートを示す図である。
【図９】  第２の実施の形態に係る電子ドラム装置の構成を示す図１のＡ−Ａ線に沿う部分断面図である。
【図１０】  第３の実施の形態に係る電子ドラム装置の図１のＢ−Ｂ線に沿う部分断面図である。
【図１１】  光源部の他の構成例を示す図である。
【符号の説明】
６、２０６  上ケース（ケース体）、  １０  パッド体、  １１  パッド表皮体、  １２  パッド板、  １４  ブリッジ体（帯状弾性ブリッジ体）、  ２１４  ブリッジ体（ドーナツ状弾性ブリッジ体）、  ２０、１２０  発光ユニット、  ２１、１２１  導光体、  ２１ａ  始端面、  ２１ｂ  終端面、  ２１ｃ  放光面、  ２２  ステイ、  ２３、１２３  反射用カバー、  ３０  光源部、  ３１  ＬＥＤ、  ３２  ＬＥＤカバー、  ４０  センサ支持体、  ４１  センサ部、  ４２、１４２  有膜弾性体、  ４２ａ、１４２ａ  薄膜部、  ５０  下ケース、  ６０  中空体、  ６１  中空部、  １００  パッド兼中空体
【図１】
0003674770.tif 000002
【図２】
0003674770.tif 000003
【図３】
0003674770.tif 000004
【図４】
0003674770.tif 000005
【図５】
0003674770.tif 000006
【図６】
0003674770.tif 000007
【図７】
0003674770.tif 000008
【図８】
0003674770.tif 000009
【図９】
0003674770.tif 000010
【図１０】
0003674770.tif 000011
【図１１】
0003674770.tif 000012